(57)【特許請求の範囲】
【請求項１】
通常キーにより開閉されるシリンダ錠のキーコードを、該通常キーに対応した変換キーと新通常キーに対応した新変換キーとを用いて、該新通常キー用のキーコードに変換する変換式シリンダ錠において、
錠の外殻を形成し、内側壁面に軸方向の凹溝を所定の角度間隔で形成した外筒と、
該外筒内に回転可能に挿入され、キー挿入孔を軸方向に設け、該キー挿入孔と直角方向に複数のピンタンブラー挿入用のピン孔を該キー挿入孔と連通して２列状に設けた内筒と、
該２列の各ピン孔に摺動可能に挿入されるとともにピン用ばねにより内側に付勢され、外周部にリング状の歯部を有して、２列に配置される複数のピンタンブラーと、
該内筒の外周部の両側に設けたサイドバー用凹部に嵌入され、ディスクタンブラーを挿入させるディスク挿入溝が設けられ、該内筒の回転時、該サイドバー用凹部内を半径方向に移動可能に配設される第１サイドバーと、
該第１サイドバーの該ディスク挿入溝内に摺動可能に挿入され、前記ピンタンブラーの該歯部と噛合するディスク歯部を有し、該２列の該ピンタンブラーに対応して該内筒の両側に配設される複数のディスクタンブラーと、
該第１サイドバーの外面部に設けた嵌合凹部に、該内筒の半径方向に移動可能に嵌入され、該ディスクタンブラーに設けた開口溝と係合可能な内凸条を有し、前記外筒内面に設けた凹溝と嵌合可能な外凸条を有する第２サイドバーと、
該第１サイドバーを該内筒の外側に付勢する第１ばねと、
該第１サイドバーに対し該第２サイドバーを該内筒の外側に付勢する第２ばねと、
該内筒に設けられ、該通常キー及び該新通常キーが該キー挿入孔に差し込まれ回された状態で、該通常キー及び該新通常キーに係合して、該通常キー及び該新通常キーの抜き取りを防止する抜け止めピンと、
を備え、
該変換キー及び該新変換キーは、該キー挿入孔に差し込まれ回された状態で、抜き取りを可能に形成され、
キーコード変換時、該変換キーを該キー挿入孔に差し込み、該内筒を所定角度回したとき、該第１サイドバーが該ディスクタンブラーと共に該内筒の外側に移動して、該ディスクタンブラーのディスク歯部と該ピンタンブラーの歯部との噛合が外れ、該変換キーを該キー挿入孔から引き抜いた後、該新通常キーに対応した波形部を有する該新変換キーを該キー挿入孔に差し込むと、該新変換キーのキーコードに応じた位置に該ピンタンブラーが軸方向に摺動し、その状態で、該新変換キーを回して該内筒を元の位置に戻すと、該第１サイドバーが該ディスクタンブラーとともに該内筒の内側に移動し、該ディスクタンブラーのディスク歯部が該ピンタンブラーの歯部と噛合して、キーコードが変換されることを特徴とする変換式シリンダ錠。
【請求項２】
前記各ディスクタンブラーには開口溝が設けられ、前記第２サイドバーの内側には内凸条が該開口溝に係合可能に設けられ、該各ディスクタンブラーには、前記第１サイドバーのディスク挿入溝内に設けた係合部と係合する凸条が設けられたことを特徴とする請求項１記載の変換式シリンダ錠。
【請求項３】
前記２列に配置された複数のピンタンブラーは、平面視で千鳥状となるように交互に位置をずらして配設され、前記通常キー、前記変換キー、前記新通常キー及び前記新変換キーには、中央に中央溝が軸方向に形成されるとともに該中央溝の両側に該２列のピンタンブラーの各々に係合する波形部が形成されたことを特徴とする請求項１記載の変換式シリンダ錠。
【請求項４】
前記外筒の内側面には、９０°の角度間隔で、前記凹溝が形成され、該凹溝の一部を拡張する形態で該外筒の内面に切欠凹部が設けられたことを特徴とする請求項１記載の変換式シリンダ錠。
【請求項５】
前記第１ばねの付勢力は、前記第２ばねの付勢力より大きく設定され、キーコード変換時に変換キーを９０°回したとき、該第１ばねの付勢力により前記第１サイドバーが前記第２サイドバーを嵌合位置に保持した状態で、該第１サイドバーの外凸部が前記切欠凹部に進入して、該第１サイドバーが外側に移動し、前記ピンタンブラーの歯部と前記ディスク歯部との噛合が外れ、キーコードの変換が可能となることを特徴とする請求項４記載の変換式シリンダ錠。
【請求項６】
前記内筒の背面側には背面カム板が取り付けられ、解錠操作時またはキーコード変換操作時に、該内筒を９０°回したとき、該背面カム板が前記外筒の一部に当接して、９０°の回転角度位置が設定されることを特徴とする請求項４記載の変換式シリンダ錠。
【請求項７】
前記抜け止めピンは、前記内筒のキー挿入孔の奥部に、軸方向と直角に挿入され、該抜け止めピンが前記通常キー及び前記新通常キーの凸部に当接して、該通常キー及び該新通常キーの解錠位置での抜けを止め、前記変換キー及び前記新変換キーには、該凸部を切除して、キーコード変換操作時の抜き取りを可能としたことを特徴とする請求項１記載の変換式シリンダ錠。
【請求項８】
前記内筒内に穿設されるピン孔の深さは、前記ピンタンブラーの最下段コード位置より僅かに深く形成されたことを特徴とする請求項１記載の変換式シリンダ錠。
【請求項９】
前記内筒の前部に設けたフランジ前部に前記キー挿入孔が開口形成され、前記外筒の前部内側に該フランジ前部が回動可能に挿入される段差凹部が円周状に設けられ、該段差凹部の一部に円弧状の嵌合凹部が設けられ、該キー挿入孔に差し込まれた前記通常キーまたは変換キーの中途位置での引き抜きを阻止し且つその抜き差し角度位置を決定する円弧状のキー位置プレートが、該嵌合凹部に嵌入され、該キー位置プレートには凹溝が設けられ、該通常キーまたは変換キーの元部にはキー逃し溝が設けられ、
該キー位置プレートの該凹溝の角度位置は、該通常キーまたは変換キーを該キー挿入孔に抜き差しするとき、該キー逃し溝が該凹溝と合致してキーの抜き差し角度位置が決定されるように設定されたことを特徴とする請求項１記載の変換式シリンダ錠。
【請求項１０】
前記内筒のフランジ前部の内側に円周溝が設けられ、該円周溝に前記キー位置プレートが摺動可能に嵌入されたことを特徴とする請求項９記載の変換式シリンダ錠。
【発明の詳細な説明】
【技術分野】
【０００１】
本発明は、キーコードを変換可能な変換式シリンダ錠に関し、特にキーコードのバリエーションを多数設定可能であって、外筒の軸方向の長さを短くすることができるキーコード変換型の変換式シリンダ錠に関する。
【背景技術】
【０００２】
キーコードを変換可能なシリンダ錠として、下記特許文献１に、内筒の内側に並設した多数の仕切溝に、タンブラーを配設してなるキーコード変換型のシリンダ錠が提案されている。このシリンダ錠は、外筒内に内筒を回動可能に挿入し、内筒の内部に、タンブラー挿入用の多数の仕切溝を、軸と垂直方向に並設し、これらの仕切溝内に、歯車部を有した特殊な形状のタンブラーが挿入される。さらに、多数のタンブラーに対し係合可能にピニオンとスイングプレートが配設され、それらの係合位置を変えることにより、タンブラーの解錠位置を変えて、キーコードを変える。
【０００３】
さらに、上記シリンダ錠には、スイングギヤがタンブラーの歯車部と噛合可能に配設され、ピニオンの外周位置に、軸方向に延びるサイドバーがラジアル方向に移動可能に係合して装着される。このシリンダ錠のキーコードを変換する場合、変換キーを内筒のキー孔に差し込み内筒を回動させると、サイドバーが移動し且つピニオンが移動することにより、ピニオンとタンブラーとの係合が外れ、変換キーを引き抜くと、キーコードがリセット状態となる。その後、新たな通常キーをキー孔内に挿入して、内筒をタンブラーの新たな位置でピニオンとタンブラーの歯車部とを噛合させることにより、新たなキーコードが設定されるように構成される。
【先行技術文献】
【特許文献】
【０００４】
【特許文献１】特開２００８−２９７６９６号公報
【発明の概要】
【発明が解決しようとする課題】
【０００５】
しかしながら、上記従来のキーコード変換式のシリンダ錠は、多数の特殊な形状のタンブラーに加えて、ピニオン、スイングギヤなどの複雑な構造の部品を内筒に係合可能に組み込む必要があり、シリンダ錠の構造が非常に複雑化し、シリンダ錠の外筒も大型化していた。
【０００６】
さらに、この種のタンブラー式のシリンダ錠は、その解錠キーコードのバリエーション、つまり通常キーや変換後の通常キーのバリエーションの数が、タンブラーの数に基づき決まる。このため、この種の変換式シリンダ錠を汎用のシリンダ錠として製造販売し、多くのユーザに使用されることを考慮した場合、変換式シリンダ錠には、多数の解錠キーコードのバリエーションを設定する必要があり、必然的に内筒内の軸方向に並設されるタンブラーの数が増すこととなる。
【０００７】
しかしながら、タンブラーの数を増した場合、変換式シリンダ錠の軸方向の長さは、通常のシリンダ錠に比して長尺となり、変換式シリンダ錠を、通常のシリンダ錠が使用されている既存の設備機器の扉の施錠装置として、従来の汎用シリンダ錠に代えて、そのまま置き換え使用することができない。
【０００８】
例えば、現在、広範囲に製造販売されている自動販売機の扉の施錠装置として使用されるシリンダ錠は、外筒の軸方向の長さ（奥行き）が１７．４ｍｍ、とその規格で決められている。このため、変換式シリンダ錠を自動販売機の扉の施錠装置として使用する場合、その外筒の軸方向の長さを１７．４ｍｍとする必要がある。
【０００９】
しかし、実際にユーザに提供できる変換式シリンダ錠の解錠キーコードのバリエーションを考慮した場合、内筒内の軸方向に並設されるタンブラーの数が少なくとも１２〜１３本必要となり、部品加工などの容易さや製造コストを考慮すると、上記のような変換式シリンダ錠の外筒の長さを、規格で決められた長さとすることは、非常に難しい。このため、現在汎用されているシリンダ錠と同程度の外径及び軸方向の長さを有する、キーコード変換式のシリンダ錠が要望されていた。
【００１０】
本発明は、上記の点に鑑みなされたものであり、キーコードのバリエーションを多数設定可能であって、比較的簡易な構造で、軸方向の長さを短くすることができるキーコード変換型の変換式シリンダ錠を提供することを目的とする。
【課題を解決するための手段】
【００１１】
上記目的を達成するために、本発明の変換式シリンダ錠は、
通常キーにより開閉されるシリンダ錠のキーコードを、該通常キーに対応した変換キーと新通常キーに対応した新変換キーとを用いて、該新通常キー用のキーコードに変換する変換式シリンダ錠において、
錠の外殻を形成し、内側壁面に軸方向の凹溝を所定の角度間隔で形成した外筒と、
該外筒内に回転可能に挿入され、キー挿入孔を軸方向に設け、該キー挿入孔と直角方向に複数のピンタンブラー挿入用のピン孔を該キー挿入孔と連通して２列状に設けた内筒と、
該２列の各ピン孔に摺動可能に挿入されるとともにピン用ばねにより内側に付勢され、外周部にリング状の歯部を有して、２列に配置される複数のピンタンブラーと、
該内筒の外周部の両側に設けたサイドバー用凹部に嵌入され、ディスクタンブラーを挿入させるディスク挿入溝が設けられ、該内筒の回転時、該サイドバー用凹部内を半径方向に移動可能に配設される第１サイドバーと、
該第１サイドバーの該ディスク挿入溝内に摺動可能に挿入され、前記ピンタンブラーの該歯部と噛合するディスク歯部を有し、該２列の該ピンタンブラーに対応して該内筒の両側に配設される複数のディスクタンブラーと、
該第１サイドバーの外面部に設けた嵌合凹部に、該内筒の半径方向に移動可能に嵌入され、該ディスクタンブラーに設けた開口溝と係合可能な内凸条を有し、前記外筒内面に設けた凹溝と嵌合可能な外凸条を有する第２サイドバーと、
該第１サイドバーを該内筒の外側に付勢する第１ばねと、
該第１サイドバーに対し該第２サイドバーを該内筒の外側に付勢する第２ばねと、
該内筒に設けられ、該通常キー及び該新通常キーが該キー挿入孔に差し込まれ回された状態で、該通常キー及び該新通常キーに係合して、該通常キー及び該新通常キーの抜き取りを防止する抜け止めピンと、
を備え、
該変換キー及び該新変換キーは、該キー挿入孔に差し込まれ回された状態で、抜き取りを可能に形成され、
キーコード変換時、該変換キーを該キー挿入孔に差し込み、該内筒を所定角度回したとき、該第１サイドバーが該ディスクタンブラーと共に該内筒の外側に移動して、該ディスクタンブラーのディスク歯部と該ピンタンブラーの歯部との噛合が外れ、該変換キーを該キー挿入孔から引き抜いた後、該新通常キーに対応した波形部を有する該新変換キーを該キー挿入孔に差し込むと、該新変換キーのキーコードに応じた位置に該ピンタンブラーが軸方向に摺動し、その状態で、該新変換キーを回して該内筒を元の位置に戻すと、該第１サイドバーが該ディスクタンブラーとともに該内筒の内側に移動し、該ディスクタンブラーのディスク歯部が該ピンタンブラーの歯部と噛合して、キーコードが変換されることを特徴とする。
【００１２】
この発明の変換式シリンダ錠によれば、複数のピンタンブラーが内筒内に２列状に設けたピン孔に挿入され、内筒の外周部の両側に設けたサイドバー用凹部に第１サイドバーが嵌入され、第１サイドバーにはディスクタンブラーを挿入させるディスク挿入溝が設けられ、該内筒の回転時、第１サイドバーはサイドバー用凹部内を半径方向に移動可能に配設され、ディスクタンブラーが第１サイドバーのディスク挿入溝に摺動可能に挿入されるとともに、内筒の各ピン孔に連通して軸と直角方向に形成されたディスク挿入溝内に挿入され、ディスクタンブラーは２列のピンタンブラーに対応して内筒の両側に配設され、ディスクタンブラーには、ピンタンブラーの歯部と噛合するディスク歯部が設けられて構成されるので、２列のピンタンブラーとディスクタンブラーとの組み合わせにより、解錠キーコードのバリエーションの数の増大を図りつつ、比較的簡易な構造で、キーコードの変換を行うことができ、外筒の形状を小型化できるとともに軸方向の長さを短くすることができる。
【００１３】
ここで、上記変換式シリンダ錠において、各ディスクタンブラーには開口溝が設けられ、第２サイドバーの内側には内凸条が該開口溝に係合可能に設けられ、さらに、各ディスクタンブラーには、該第１サイドバーの該ディスク挿入溝内に設けた係合部と係合する凸条が設けられるように構成することが好ましい。これによれば、キーコードの変換時、第１サイドバーのディスク挿入溝内の係合部に凸条を係合させて、ディスクタンブラーのディスク歯部とピンタンブラーの歯部との噛合を外すように移動させることができるとともに、内筒のキー挿入孔にキーを抜き差しする際、ディスクタンブラーの開口溝と第２サイドバーの内凸条との係合を外し、ディスクタンブラーのディスク歯部とピンタンブラーの歯部が噛合する状態で、ピンタンブラーを摺動可能として、キーの抜き差しを容易に行うことができる。
【００１４】
またここで、上記２列に配置された複数のピンタンブラーは、平面視で千鳥状となるように交互に位置をずらして配設され、上記通常キー及び変換キーには、中央に中央溝が軸方向に形成されるとともに該中央溝の両側に該２列のピンタンブラーの各々に係合する波形部が形成される構成とすることができる。これによれば、内筒の製造時、内筒の軸方向の長さをできるだけ短くしつつ、内筒のピン孔とピン孔の壁の厚さを充分に確保して、内筒の必要強度を確保することができる。
【００１５】
またここで、上記外筒の内側面には、９０°の角度間隔で、上記凹溝が形成され、上記変換キーを差し込んで９０°回したとき、上記第２サイドバーの外凸条が係合する位置の該凹溝の一部を拡張する形態で、切欠凹部が設けられ、該切欠凹部には、上記第１サイドバーの両外側部に設けた外凸部が係合可能とされる構成とすることが好ましい。これによれば、簡単な構造により、キーコードの変換時に、変換キーを差し込んで内筒を９０°回したとき、外凸部と切欠凹部の係合により、第１サイドバーと第２サイドバーを、ディスクタンブラーと共に内筒の外側に移動させ、ディスクタンブラーのディスク歯部をピンタンブラーの歯部から外し、変換動作を行なうことができる。
【００１６】
またここで、上記第１ばねの付勢力は、上記第２ばねの付勢力より大きく設定され、キーコード変換時に変換キーを９０°回したとき、該第１ばねの付勢力により前記第１サイドバーが前記第２サイドバーを嵌合位置に保持した状態で、該第１サイドバーの外凸部が前記切欠凹部と係合して外側に移動し、前記ピンタンブラーの歯部と前記ディスク歯部との噛合が外れ、キーコードの変換が可能となるように構成することができる。
【００１７】
またここで、上記内筒の背面側には背面カム板が取り付けられ、解錠操作時またはキーコード変換操作時に、該内筒を９０°回したとき、該背面カム板が前記外筒の一部に当接して、９０°の回転角度位置が設定されるように構成することができる。
【００１８】
またここで、上記内筒のキー挿入孔の奥部に、キーの抜け止め用の抜け止めピンが軸方向と直角に挿入され、該抜け止めピンが該通常キーの凸部に当接して、該通常キーの解錠位置での抜けを防止し、上記変換キーには、該凸部を切除して、キーコード変換操作時の該変換キーの抜き取りを可能とするように構成することができる。これによれば、簡単な構成により、キーコード変換時の変換途中で、キー挿入孔から変換キーを抜くことができ、解錠操作時の通常キーの抜けを防止することができる。
【００１９】
またここで、上記変換式シリンダ錠において、上記内筒内に穿設されるピン孔の深さは、ピンタンブラーの最下段コード位置より僅かに深く形成することが好ましい。これによれば、キーコード変換時に、変換キーを挿入して所定位置まで回した後、変換キーに代えて、新通常キーに対応した新変換キーをキー挿入孔に差し込んだとき、新変換キーの先端がキー挿入孔の最先端まで到達せずに、差込が不十分となった場合、ピンタンブラー３の位置が最下段コードより僅かに奥まで達する。
【００２０】
このため、ピンタンブラーの歯部の山とディスクタンブラーのディスク歯部の山が係合し、第２サイドバーの外凸条が外筒の凹溝から外れなくなり、内筒の回転が阻止されて、新変換キーと内筒を元の位置に戻すことができず、キーコードの誤設定を防止することができる。また、このような簡単なピン孔の加工のみにより、キーコード変換時の誤設定を防止できるため、従来のように別部品としての確認ピンなどは不要となり、簡単に内筒及び外筒を小形化することができる。
【００２１】
またここで、上記変換式シリンダ錠において、上記内筒の前部に設けたフランジ前部に上記キー挿入孔が開口形成され、上記外筒の前部内側に該フランジ前部が回動可能に挿入される段差凹部が円周状に設けられ、該段差凹部の一部には円弧状のキー位置プレートを嵌入させる円弧状の嵌合凹部が設けられ、該キー挿入孔に差し込まれた前記通常キーまたは変換キーの中途位置での引き抜きを阻止し且つその抜き差し角度位置を決定する円弧状のキー位置プレートが、該嵌合凹部に嵌入され、該キー位置プレートには凹溝が設けられ、該通常キーまたは変換キーの元部にはキー逃し溝が設けられ、該キー位置プレートの該凹溝の角度位置は、該通常キーまたは変換キーを該キー挿入孔に抜き差しするとき、該キー逃し溝が該凹溝と合致してキーの抜き差し角度位置が決定されるように設定される構成とすることができる。
【００２２】
これによれば、通常キーまたは変換キーをキー挿入孔に差し込み回動操作する際、必然的に、キーを適正位置（キーのキー逃し溝と凹溝が合致する位置）まで差し込んで回動操作することとなり、且つキーの抜き差し角度位置が所定角度位置に正確に限定されるため、所定角度以外の中途位置で通常キーまたは変換キーを抜き差しすることによるピンタンブラーやディスクタンブラーの噛み付き不良などを防止することができる。
【００２３】
さらに、従来のシリンダ錠のように、キーの抜き差し位置を規制する凹溝を外筒の前部（フランジ状の前部）に設ける必要がなく、外筒に設けていたフランジ状の大形の前部をなくすことができるため、これにより、シリンダ錠の軸方向の長さを短くして小型化を図ることができる。
【００２４】
さらに、従来の変換式シリンダ錠では、キーコード変換時の誤変換、誤設定を防止するために、内筒の末端部に挿入確認用の確認ピンを配設し、その確認ピンが、新変換キーの適正な差し込みにより、押されたとき、内筒の戻し回転が可能となる構造とするものがあるが、本発明の変換式シリンダ錠では、上記構成により、確認ピンは不要となるため、それにより、内筒及び外筒の外径や長さを短くしつつ、ピンタンブラーやディスクタンブラーの数を所定数に確保し、解錠キーコードのバリエーションを増大させることができる。
【００２５】
またここで、上記変換式シリンダ錠において、上記内筒のフランジ前部の内側には円周溝を設け、該円周溝に上記キー位置プレートを摺動可能に嵌入することができる。これによれば、変換式シリンダ錠を組み付ける際、キー位置プレートを内筒の円周溝に嵌入した状態で、内筒を外筒内に挿入するだけで、簡単に、キー位置プレートを外筒前部内の嵌合凹部に嵌入させることができ、組付け作業を容易に行うことができる。
【発明の効果】
【００２６】
本発明の変換式シリンダ錠によれば、解錠キーコードのバリエーションの数の増大を図りつつ、比較的簡易な構造で、外筒及び内筒の軸方向の長さを短くすることができる。
【図面の簡単な説明】
【００２７】
【図１】本発明の一実施形態を示す変換式シリンダ錠の斜視図である。
【図２】同変換式シリンダ錠の外筒、内筒を除く内部機構の斜視図である。
【図３】同変換式シリンダ錠の外筒、内筒を除く内部機構の、別の角度から見た斜視図である。
【図４】同変換式シリンダ錠の左側面図である。
【図５】同変換式シリンダ錠の分解斜視図である。
【図６】同変換式シリンダ錠の外筒を除く分解斜視図である。
【図７】外筒、ばね、抜け止めピンを除く分解部分断面図である。
【図８】（ａ）は外筒の正面図、（ｂ）は外筒の右側面図、（ｃ）は外筒の背面図である。
【図９】（ａ）は内筒の平面図、（ｂ）は内筒の底面図、（ｃ）は内筒の正面図、（ｄ）は内筒の背面図である。
【図１０】（ａ）（ｂ）は外筒の斜視図である。
【図１１】内筒、ピンタンブラー、ディスクタンブラーの分解斜視図である。
【図１２】内筒とピンタンブラーの分解斜視図である。
【図１３】（ａ）（ｂ）は第１サイドバーの斜視図である。
【図１４】（ａ）は第１サイドバーの正面図、（ｂ）はその平面図、（ｃ）その背面図である。
【図１５】第１サイドバー、第２サイドバーの分解斜視図である。
【図１６】（ａ）（ｂ）は第２サイドバーの斜視図である。
【図１７】（ａ）は第２サイドバーの正面図、（ｂ）はその平面図、（ｃ）はその背面図である。
【図１８】（ａ）はディスクタンブラーの正面図、（ｂ）その平面図、（ｃ）はその左側面図である。
【図１９】（ａ）はピンタンブラーの正面図、（ｂ）はその平面図である。
【図２０】（ａ）は通常キーの正面図、（ｂ）はその左側面図、（ｃ）はその平面図、（ｄ）はその右側面図である。
【図２１】（ａ）（ｂ）は通常キーの斜視図である。
【図２２】（ａ）は変換キーの斜視図、（ｂ）はその右側面図である。
【図２３】（ａ）は図４のI‐I断面図、（ｂ）そのII-II断面図である。
【図２４】（ａ）は施錠時の断面図、（ｂ）は通常キーを差し込み、解錠して回した状態の断面説明図である。
【図２５】（ａ）（ｂ）は施錠状態での通常キーの抜き差し可能状態を示す断面説明図である。
【図２６】変換キーを差し込み、右に９０°回した後、変換キーを引き抜いた状態の断面説明図である。
【図２７】新変換キーを差し込み、元の位置に戻す際の断面説明図である。
【図２８】新変換キーの差し込み時、差し込みが不十分となった際の断面説明図である。
【図２９】他の実施形態の外筒を示し、キー位置プレートを取り付けた状態の正面図（ａ）、その縦断面図（ｂ）、キー位置プレートを外した状態の正面図（ｃ）である。
【図３０】キー位置プレートの正面図（ａ）、その側面図（ｂ）である。
【図３１】他の実施形態の内筒の正面図（ａ）、その右側面図（ｂ）、その左側面図（ｃ）である。
【図３２】内筒アッセンブリーを外筒に挿入する際の断面説明図である。
【図３３】内筒アッセンブリーを外筒に挿入した状態の断面図である。
【図３４】他の実施形態の通常キー（新変換キー）と変換式シリンダ錠の関係を示す説明図（ａ）、キーを差し込んだ状態の断面説明図（ｂ）である。
【発明を実施するための形態】
【００２８】
以下、本発明の一実施形態を図面に基づいて説明する。この変換式シリンダ錠は、解錠キーコードを変換可能なシリンダ錠であって、図１〜７に示すように、比較的短い外筒１内に、内筒２を回動可能に配設して構成され、内筒２内には、ピンタンブラー３が内筒軸と直角に配設されるとともに、内筒２の両側に設けたサイドバー用凹部２３内に、複数のディスクタンブラー４と第２サイドバーを収容した第１サイドバー５を摺動可能に配設して構成される。なお、以下の説明で使用するシリンダ錠の上下前後左右方向は、図３の斜視図に示す如く、矢印Ｆが錠の前方、矢印Ｒが錠の後方、矢印Ｕが上方、矢印Ｄが下方、矢印ＲＩが右側、矢印Ｌが左側である。
【００２９】
この変換式シリンダ錠は、概略的には、錠の外殻を形成し、内側壁面に軸方向の凹溝１１を所定角度（ここでは略９０°）の角度間隔で形成した外筒１と、外筒１内に回転可能に挿入され、キー挿入孔２０を軸方向に設け、キー挿入孔２０と直角方向に１０本のピンタンブラー挿入用のピン孔２１を、キー挿入孔２０と連通して２列状に設けた内筒２と、各ピン孔２１に摺動可能に挿入され、外周部に環状の歯部３１を設け、２列に配置された１０本のピンタンブラー３と、を備える。
【００３０】
さらに、変換式シリンダ錠は、内筒２の外周部に軸方向を向け半径方向に摺動可能に配設され、各ディスクタンブラー４の一部を挿入させるディスク挿入溝５１を有し、キーコード変換時に各ディスクタンブラー４を動かして、ピンタンブラー３の歯部３１とディスク歯部４１の噛合位置を変える第１サイドバー５と、第１サイドバー５の外面部に設けた嵌合凹部５４に嵌入され、嵌合凹部５４内に設けた凹溝に嵌合する内凸条６２を内側面部に設け、外筒１の凹溝１１と嵌合可能な外凸条６１を外面部に設けた第２サイドバー６と、を備える。
【００３１】
図５，６に示す如く、内筒２内には複数のピンタンブラー３が２列状に収容されるが、２列のピンタンブラー３の両側には、複数のディスク挿入溝２２が内部で各ピン孔２１と連通して軸と直角方向に形成され、各ディスク挿入溝２２内には、ディスクタンブラー４が、第１サイドバー５のディスク挿入溝５１内に摺動可能に挿入された状態で、収容される。各ディスクタンブラー４には、ピンタンブラー３の歯部３１と噛合するディスク歯部４１が設けられ、キーコード変換時には、その噛合を外すように、両側の第１サイドバー５が内筒２の外側に移動する。
【００３２】
図７、８に示すように、外筒１は、前部にフランジ部を有した円筒型に形成され、外筒１の内側壁面には、凹溝１１が略９０°の角度間隔で軸方向に４本形成される。これら４本の凹溝１１には、後述のように、内筒２の両側部（図２４の０時相当位置と６時相当位置）の第１サイドバー５内に嵌合された第２サイドバー６の外凸条６１が、内筒２の９０°の回動時に嵌合可能である。凹溝１１の横断面形状は、略三角形状の山形形状となっており、同様の山形形状に形成された第２サイドバー６の外凸条６１が凹溝１１に嵌合し、これにより、第２サイドバー６が係止され、内筒２は外筒１に対しロックされる。
【００３３】
また、図２４〜図２７に示すように、外筒１の内面の０時と６時相当位置に設けた凹溝１１の両端部に、その溝を両側に広げて溝を拡張する形態で切欠凹部１２が形成される。この切欠凹部１２は、キーコード変換を行なうために設けた凹部であり、キーコードの変換時、第１サイドバー５の両端部の外凸部５３が切欠凹部１２に嵌入して、第１サイドバー５が外側に移動し、これにより、ディスク歯部４１と歯部３１との噛合を外し、キーコードの変換を行なうようになっている。
【００３４】
図６などに示すように、内筒２の両側部（図２４〜図２７では、０時と６時相当位置）にサイドバー用凹部２３が設けられ、第２サイドバー６を保持した第１サイドバー５が両側のサイドバー用凹部２３内に所定の範囲で摺動可能に嵌入される。上記のように、外筒１の内側壁面の０時、３時、６時、及び９時相当位置（図２４〜図２７）に、９０°の角度間隔で凹溝１１が設けられるが、切欠凹部１２は、キーコード変換用に、図２４〜図２７の０時と６時相当位置の凹溝１１の両側端部にのみ凹溝を拡張するように設けられる。
【００３５】
キーコード変換時には、第１サイドバー５が、第２サイドバー６を保持した状態で、その外凸部５３を両側壁部の切欠凹部１２に嵌入させるように、外側に移動する。これにより、第１サイドバー５に保持されたディスクタンブラー４が内筒２の外側に移動して、ディスク歯部４１とピンタンブラー３の歯部３１との噛合が外れ、キーコード変換が可能な状態となる。
【００３６】
一方、図５に示すように、内筒２の背面側に突出する内筒軸部２５には背面カム板１７が嵌着される。この背面カム板１７は、解錠操作時またはキーコード変換時に内筒２を右に９０°回したとき、外筒１の一部に当接し、内筒２の当該回転角度位置を設定する。
【００３７】
なお、この実施形態では、内筒２を右に９０°回したとき、解錠またはキーコード変換される構造としているが、内筒を左に９０°回して解錠またはキーコード変換を行なう場合、この背面カム板１７を反転させて内筒軸部２５に嵌着すればよい。このため、キーを左に回して解錠またはキーコード変換する変換式シリンダ錠の場合には、この背面カム板１７を反転して取り付けることにより簡単に製作することができる。
【００３８】
図７、９に示すように、内筒２には、その軸芯位置から下側に偏倚した位置に、キー挿入孔２０が軸方向に形成され、さらに軸と直角方向に複数のディスク挿入溝２２が所定の間隔をおいて内筒２内に形成される。さらに、内筒２には、キー挿入孔２０と直角方向にピンタンブラー挿入用の複数のピン孔２１がキー挿入孔２０と連通して、２列状に形成される。
【００３９】
ピン孔２１は、例えば合計１０本のピンタンブラー３を挿入するように、１列に５本の孔が２列で１０本形成される。さらに、２列のピン孔２１は、図９に示すように、平面視で、相互にずれて千鳥状に形成される。これにより、ピン孔とピン孔の間隔を厚く確保することができ、多数のピンタンブラー３の使用に拘わらず、内筒２の強度を高くすることができ、ピンタンブラー３の本数を多くして、キーコードのバリエーションの数を、より多く設定できるようにしている。さらに、ピンタンブラー３を２列状に配置することにより、ピンタンブラー３を１列に配置した場合に比して、外筒１及び内筒２の外径及び軸方向長さを縮小することができ、内筒２及び外筒１の軸方向の長さを短くして、規格化された汎用のシリンダ錠と同様な外形として、変換式シリンダ錠の汎用性を大きく向上させることができる。
【００４０】
これら２列１０本のピン孔２１には、外側から上記のディスク挿入溝２２が連通して形成され、ディスク挿入溝２２には、第１サイドバー５に保持された各ディスクタンブラー４が進入するとともに、そのディスク歯部４１がピン孔２１内に進入し、各ピンタンブラー３の歯部３１に噛合するようになっている。また、これらのピン孔２１の深さは、図２８などに示すように、ピンタンブラー３が最下段コード位置まで到達する位置より、僅かに（約０．５ｍｍ程度）深く形成される。これにより、キーコード変換時、変換キー７０aを抜いた状態で、新通常キーに対応した新変換キー９０ａをキー挿入孔２０に差し込んだとき、その差し込み状態が不十分であった場合、ピンタンブラー３の歯部３１の山とディスクタンブラー４のディスク歯部４１の山とが係合し、第１サイドバー５及び第２サイドバー６が外側に移動した状態となって外れない。これにより、その外凸条６１が外筒１の凹溝１１に嵌合して、内筒２の回転を阻止し、キーコード変換時の誤変換、誤設定を防止することができる。
【００４１】
従来の変換式シリンダ錠では、通常、上記のようなキーコード変換時の誤変換、誤設定を防止するために、内筒の末端部に挿入確認用の確認ピンを配設し、その確認ピンが、新変換キーの適正な差し込みにより、押されたとき、内筒の戻し回転が可能となる構造としている。しかし、本発明の変換式シリンダ錠では、変換時、新通常キーに対応した新変換キー９０ａが適正位置まで挿入されない状態では、内筒２の回転が阻止される構造となっているので、確認ピンは不要となり、それにより、内筒２及び外筒１の外径や長さを短くすることができる。
【００４２】
一方、通常キー７０を差し込んで右に９０°回転させた状態で、通常キーの引抜を防止するために、抜け止めピン１９が配設される。そのために、内筒２の後部（最奥部）にピン孔２１と隣接して、小径の抜け止めピン孔２４が形成される。この抜け止めピン孔２４に、図５に示すように、抜け止めピン１９が挿入され。そのピン先端部はキー挿入孔２０に達する。通常キー７０がキー挿入孔２０に差し込まれ、内筒２が回されたたとき、通常キー７０の先端部に設けた波凹部７４（図２０）に抜け止めピン１９の先端が係合し、通常キー７０の不要な抜き取りを防止するようになっている。
【００４３】
なお、図６に示すように、抜け止めピン１９は、内筒２の外周部にピン支持板１８を取り付けることにより、抜け止めピン孔２４内の定位置に保持される。ピン孔２１内に挿入される全てのピンタンブラー３の上方には、ピン用ばね（コイルばね）７が各ピンを押すように挿入され、ピン用ばね７はピン支持板１８を内筒２の固定することにより孔内に押し込まれる。これにより、各ピンタンブラー３はピン孔２１内で内側に常時付勢されて配設される。また、図５に示すように、内筒２の後部（背面部）には、内筒軸部２５が突設され、外筒１の後部を閉鎖して嵌着される背面カム板１７の孔から内筒軸部２５は突出する。
【００４４】
さらに、内筒２の左右両側には、図５〜図７に示すように、サイドバー用凹部２３が軸方向に沿って形成され、サイドバー用凹部２３には第１サイドバー５が内筒２の半径方向にのみ摺動移動可能に嵌入される。第１サイドバー５には、後述のように、その外側部に設けた嵌合凹部５４に第２サイドバー６が内筒２の半径方向にのみ摺動移動可能に嵌入され、第１サイドバー５の内側部に設けた複数のディスク挿入溝２２には各々ディスクタンブラー４が上下に摺動可能に挿入される。
【００４５】
図２０、２１に示すように、通常キー７０の波形部７２の先端には、波凸部７５の内側に波凹部７４が形成され、この波凹部７４に抜け止めピン１９の先端が係合し、通常キー７０の不要な抜き取りを阻止する。なお、通常キー７０に対応した波形部を有する変換キー７０ａにおいては、図２２に示すように、先端の波凸部が切除されて平坦部７６が形成され、これにより、抜け止めピン１９の先端が係合しないため、キーコードの変換時に変換キー７０ａを差し込んで内筒２を回した状態で、変換キー７０ａを引き抜き可能としている。
【００４６】
図２０〜図２２に示すように、通常キー７０及び変換キー７０ａには、内筒２内に配置された２列のピンタンブラー３に対応して、２列の波形部７２，７３、８２，８３が、長手方向に沿って形成され、波形部７２と波形部７３の間に、中央溝７１が長手方向に沿って形成される。内筒２のキー挿入孔２０内には、この通常キー７０及び変換キー７０ａの中央溝７１に対応して、矩形断面の凸条２６（図７、９）が軸方向に形成される。
【００４７】
通常キー７０及び変換キー７０ａの挿入時、中央溝７１内の凸条２６に通常キー７０及び変換キー７０ａの中央溝７１が嵌合され、キーの挿入動作をガイドし、且つ通常キー７０及び変換キー７０ａの２列の波形部７２，７３が正確に各ピンタンブラー３の先端位置に接触するようになっている。さらに、通常キー７０及び変換キー７０ａを内筒２のキー挿入孔２０内の所定位置まで差し込んだとき、各ピンタンブラー３の先端が２列の波形部７２，７３の各凹溝に正確に接触するように、内筒２内の各ピン孔２１は半径方向に穿設されている。
【００４８】
なお、この実施形態では、ピンタンブラー３の歯部３１の溝部の個数は４個であり、４個の溝部に対し２枚のディスク歯部４１の噛合パターンは上下中央と３種であるため、この３種の噛合パターンに対応して、通常キー７０及び変換キー７０ａの２列の波形部７２，７３の各溝は、その３種の深さで製作されることとなる。
【００４９】
図１８に示すように、ディスクタンブラー４は、内側（図の左側）に例えば２枚のディスク歯部４１を形成し、外側（図の右側）に開口溝４３を形成して、板状に構成され、その正面に、１本の凸条４２が縦方向に突設される。この凸条４２により、ディスクタンブラー４が第１サイドバー５のディスク挿入溝５１内に挿入されたとき、溝内の係合部５２に凸条４２が係合し、ディスクタンブラー４が第１サイドバー５のディスク挿入溝５１内で上下に摺動可能に保持されるようになっている。
【００５０】
２枚のディスク歯部４１はピンタンブラー３の歯部３１（歯部の４個の溝部）と噛合可能であり、開口溝４３には図２３の如く、第２サイドバー６の内側の内凸条６２が嵌合可能となっている。第２サイドバー６の内凸条６２がディスクタンブラー４の開口溝４３内に嵌合することにより、第２サイドバー６が内側に戻され、解錠状態となる。
【００５１】
各ディスクタンブラー４は、第１サイドバー５の各ディスク挿入溝５１内に上下に摺動可能に挿入され、そのとき、ディスクタンブラー４の凸条４２は第１サイドバー５のディスク挿入溝５１内の係合部５２と係合する。これにより、ディスクタンブラー４は、第１サイドバー５の各ディスク挿入溝５１内に上下に摺動可能に挿入された状態で、第１サイドバー５とともに、内筒２内で半径方向に移動可能である。
【００５２】
図１９に示すように、ピンタンブラー３は先端が半球状で円柱形状に形成され、その外周部には、例えば４個のリング状の溝部および４個の山部を有する歯部３１が所定のピッチで形成されている。これらの歯部３１の溝部には、図２３の如く、ディスクタンブラー４の２本のディスク歯部４１が噛合し、それらの噛合位置に応じてキーコードが変化する。
【００５３】
つまり、ディスクタンブラー４の２本のディスク歯部４１が、ピンタンブラー３の歯部３１の４個の溝部に噛合するパターンは、上下中央と３パターンあり、１本のピンタンブラー３について３パターン、且つピンタンブラー３は１０本配設されるため、この実施例のシリンダ錠では、３の１０乗の数のキーコードを設定することができる。このようなキーコードの設定数によって、実際に製造販売されるシリンダ錠においても、充分な数の解錠キーコードのバリエーションを作ることができる。また、キーコード変換時には、新通常キーに対応した新変換キー９０ａの波形部の形状に応じて、１０枚のディスクタンブラー４の２個のディスク歯部４１と、１０本のピンタンブラー３の歯部３１の４個の溝部との噛合位置を、変えることにより、キーコードが変換されることとなる。
【００５４】
なお、本実施形態では、ピンタンブラー３の歯部３１の溝部の数を４個、ディスクタンブラー４のディスク歯部４１の数を２本とし、噛合パターンを３パターンとしたが、ピンタンブラー３の歯部３１の溝部の数、ディスクタンブラー４のディスク歯部４１の数、及び噛合パターンの数は、任意に設定することができる。
【００５５】
第１サイドバー５は、図６、７、図１３、１４に示すように、上記内筒２の両側のサイドバー用凹部２３内に嵌入可能な略蒲鉾状に形成され、第１サイドバー５の内側部には、例えば５枚のディスクタンブラー４を挿入するために、５本のディスク挿入溝５１が所定の間隔で横断方向に形成される。各ディスク挿入溝５１の開口縁部には、その一方の側に、係合部５２が突き出すように形成される。この係合部５２にはディスクタンブラー４の凸条４２が上下に摺動可能に係合する。
【００５６】
第１サイドバー５の外側部の両側端部に、外凸部５３が突設される。この両側端部の外凸部５３は、キーコードの変換用に設けられ、上記外筒１の内側の０時位置と６時位置に設けた切欠凹部１２に嵌入可能な形状に形成される。図２４に示す如く、切欠凹部１２は外筒１の内側の０時と６時相当位置に設けた凹溝１１の両側端部近傍から両側に拡張するように設けられ、キーコード変換時に、変換キーを差し込んで、内筒２を右に９０°回したとき、第１サイドバー５の外凸部５３を両側壁部の切欠凹部１２に嵌入させ、これにより、第１サイドバー５とともにディスクタンブラー４を内筒２の外側に移動させ、ディスク歯部４１とピンタンブラー３の歯部３１との噛合を外す構造となっている。
【００５７】
さらに、図１３〜図１５に示すように、第１サイドバー５の外側部つまり両側端部の外凸部５３と外凸部５３の間に、第２サイドバー６を嵌合させるための嵌合凹部５４が形成される。また、図７に示すように、嵌合凹部５４内底部には、細い凹溝５４ａが形成され、この凹溝５４ａには、第２サイドバー６の内凸条６２が嵌合可能である。さらに、図１３に示すように、第１サイドバー５の内側面両端部に、２対のばね孔５５が穿設される。これらのばね孔５５には、図５,６に示すように、４本の第１ばね８が挿入され、内筒２との間で比較的大きいばね力（付勢力）を作用させ、第２サイドバー６を保持した状態で第１サイドバー５を内筒２の外側に付勢するようになっている。この第１サイドバー５は４本の第１ばね８により外側に付勢されて摺動可能に装着されるが、４本の第１ばね８による第１サイドバー５のばね力は、２本の第２ばね９による第２サイドバー６のばね力より大きく設定される。これにより、第１ばね８と第２ばね９のばね部材を共通部品として使用可能とするとともに、第１ばね８のばね力を第２ばね９のばね力より大きく設定し、キーコードの変換が適正に行なわれるようにしている。
【００５８】
第２サイドバー６は、図１６,１７に示すように、第１サイドバー５の嵌合凹部５４内に嵌入可能な矩形断面を有する角棒状に形成される。第２サイドバー６の両側に幅広部が設けられ、両側の幅広部の間に内凸条６２が形成され、第２サイドバー６を第１サイドバー５の嵌合凹部５４内に嵌入したとき、内凸条６２が第１サイドバー５の嵌合凹部５４内の凹溝５４ａ（図７）に嵌合可能となっている。
【００５９】
図７に示すように、第１サイドバー５の嵌合凹部５４の凹溝５４ａ内に第２サイドバー６の内凸条６２を嵌合させる位置まで、つまり嵌合凹部５４の最も奥くまで第２サイドバー６を嵌合させた場合、第２サイドバー６の外凸条６１の外側面は第１サイドバー５の外凸部５３の外側面と略同一位置となるように形成される。さらに、第２サイドバー６の両側の幅広部の内側面に、１対のばね孔６３が穿設され、これらのばね孔６３に第２ばね９（２本のコイルばね）が挿入される。２本の第２ばね９は、第１サイドバー５との間で、４本の第１ばね８より小さいばね力を作用させ、第２サイドバー６を第１サイドバー５の外側（内筒２の外側）に付勢するようになっている。
【００６０】
外筒１の内側面には、キーコード変換のために、０時と６時相当位置の凹溝１１の両端部の一部を拡張する形態で、切欠凹部１２が形成される。上記のように、第１サイドバー５の第１ばね８のばね力は、第２サイドバー６の第２ばね９のばね力より大きく設定されるので、キーコード変換時に、第２サイドバー６を定位置に保持した状態で、第１サイドバー５を外側に摺動させ、その外凸部５３を切欠凹部１２に嵌合させて、ピンタンブラー３の歯部３１とディスク歯部４１との噛合を外し、キーコード変換が可能となる。
【００６１】
つまり、図２６に示すように、キーコード変換時に、内筒２が変換キー７０ａにより９０°回されたとき、第１サイドバー５が、第１ばね８の付勢力により、その外凸部５３を切欠凹部１２内に進入させて外側に移動する際、付勢力の小さい第２ばね９を圧縮させて、第２サイドバー６を第１サイドバー５内の定位置に保持した状態で外側に移動する構造である。
【００６２】
なお、この実施形態では、第１ばね８として４本のコイルばねを使用し、第２ばね９として２本のコイルばねを使用することにより、第１ばね８の付勢力を第２ばねの付勢力より大きく設定している。これにより、第１ばね、第２ばねに共通部品としてコイルばねを使用することができるメリットがあるが、第１ばね、第２ばねには、各種形状のばねや任意の数のばねを使用することもできる。
【００６３】
上記構成の変換式シリンダ錠を組み立てる場合、図５〜図７に示すように、先ず、内筒２の各ピン孔２１内にピンタンブラー３を挿入し、抜け止めピン孔２４内に抜け止めピン１９を挿入し、ピンタンブラー３の上にピン用ばね７を挿入した状態で、ピン支持板１８を被せ、かしめなどで固定する。
【００６４】
次に、第１サイドバー５の各ディスク挿入溝５１にディスクタンブラー４を挿入し、第１サイドバー５と内筒２のサイドバー用凹部２３間に第１ばね（４本のコイルばね）８を装着した状態で、第１サイドバー５をサイドバー用凹部２３内に嵌め込む。第１サイドバー５は、内筒２の両側のサイドバー用凹部２３内に嵌め込まれ、この状態で、各ディスク挿入溝５１に挿入された各ディスクタンブラー４の内側部分は、内筒２側のディスク挿入溝２２内に進入する。
【００６５】
次に、組付用のフラットキーをキー挿入孔２０に挿入した状態で、両側の第１サイドバー５の嵌合凹部５４内に第２サイドバー６を、第２ばね９（２本のコイルばね）を介在させた状態で挿入する。そして、治具を用いて、内筒２のディスク挿入溝２２内の各ディスクタンブラー４を少し持ち上げながら、第２サイドバー６を内側に押し込むようにすると、第２サイドバー６の内凸条６２が各ディスクタンブラー４の開口溝４３に嵌合し、各ディスクタンブラー４のディスク歯部４１がピンタンブラー３の歯部３１に噛合し、図２３に示すような組み付け状態となる。そして、組立てた内筒アッセンブリーを外筒１内の所定位置、つまり図２３に示すように第２サイドバー６の外凸条６１が外筒１内の凹溝１１の内側にくるように、内筒アッセンブリーを外筒１内に挿入し、内筒２の背面側の内筒軸部２５に背面カム板１７を嵌め込み、かしめなどで固定して、組付けが完了する。
【００６６】
このように、上記構成の変換式シリンダ錠によれば、ピンタンブラー３が内筒２内に２列状に設けたピン孔２１に挿入され、ディスクタンブラー４が、第１サイドバー５のディスク挿入溝５１内に挿入されるとともに、内筒２の各ピン孔２１に連通して軸と直角方向に形成されたディスク挿入溝５１内に、摺動可能に挿入され、且つ２列のピンタンブラー３に対応して内筒２の両側に配設され、ディスクタンブラー４に、ピンタンブラー３の歯部３１と噛合するディスク歯部４１が設けられるので、２列のピンタンブラー３とディスクタンブラー４との組み合わせにより、外筒１の外径を小型化できるとともに、その軸方向の長さを短くすることができ、且つキーコード変換可能な、解錠キーコードのバリエーション数を大きく設定することができる。
【００６７】
次に、上記構成の変換式シリンダ錠の動作を説明する。通常キー（合鍵）７０を挿入しない通常施錠の状態では、図２４（ａ）に示すように、内筒２内の第１サイドバー５の外側に嵌合された第２サイドバー６の外凸条６１が、外筒１の内側の凹溝１１に係合し、これによって、内筒２は回転を阻止され、施錠状態が保持される。
【００６８】
施錠状態では、図２４（ａ）に示すように、第１サイドバー５、第２サイドバー６が３時位置と９時位置にあり、外筒１内面の凹溝１１位置に切欠凹部はないため、第１サイドバー５の外凸部５３は凹溝１１の両側縁部に当接し、外側に移動できない。このため、第２サイドバー６のみが第２ばね９の付勢力により外側に移動し、第２サイドバー５の外凸条６１は凹溝１１に嵌合し、第２サイドバー６の内凸条６２はディスクタンブラー４の開口溝４３から外れている。
【００６９】
さらに、ピンタンブラー３の歯部３１とディスクタンブラー４のディスク歯部４１は噛合状態であり、第２サイドバー６の外凸条６１は外筒１の内側の凹溝１１に係合しているため、通常キーを挿入すると、キーの波形部に応じて各ピンタンブラー３がディスクタンブラー４とともに移動可能である。
【００７０】
つまり、３時位置、６時位置の外筒１の内面に、切欠凹部１２を設けてないため、第１サイドバー５の外凸部５３がこの切欠凹部１２に嵌入できず、第１サイドバー５は外側に移動できない。このため、各ディスクタンブラー４のディスク歯部４１がピンタンブラー３の歯部３１に噛合した状態で、第２サイドバー６のみが外側に移動して、第２サイドバー６の外凸条６１が外筒１の内側の凹溝１１に係合し、内凸条６２がディスクタンブラー４の開口溝４３から外側に外れる。
【００７１】
このため、ディスクタンブラー４はピンタンブラー３と共にピンの軸方向に摺動可能となって、通常キー７０或いは変換キー７０ａをキー挿入孔２０内に挿入したとき、図２５（ａ）（ｂ）のように、キーの溝に応じてピンタンブラー３がディスクタンブラー４と共に摺動し、キーを抜き差しすることができる。
【００７２】
通常キー（合鍵）７０をキー挿入孔２０に差し込むと、キーの波形部に応じて各ピンタンブラー３がディスクタンブラー４とともに移動し、全てのディスクタンブラー４の開口溝４３が第２サイドバー６の内凸条６２の位置と一致すると、第２サイドバー６はその内凸条６２を開口溝４３に進入させるように内側に移動可能となる。このため、シリンダ錠は解錠可能状態となり、図２４（ｂ）に示すように、挿入した通常キーを例えば右に９０°回せば、第２サイドバー６はその内凸条６２を開口溝４３に進入させるように内側に移動し、それにより、外凸条６１が凹溝１１から外れ、解錠に伴う回動操作をすることができる。
【００７３】
このように、図２５（ａ）（ｂ）に示す如く、通常キー７０のキー挿入孔２０への抜き差しに応じて、各ピンタンブラー３がディスクタンブラー４とともに軸方向に移動するため、キーの抜き差しが可能であり、また、図２４（ｂ）に示すように、通常キー７０をキー挿入孔２０に挿入すると、全てのディスクタンブラー４の開口溝４３と第２サイドバー６の内凸条６２の位置が一致するため、第２サイドバー６は、その内凸条６２を開口溝４３に進入させるように内側に移動可能となり、その状態で、キーを回して内筒２を右に回し、解錠操作することができる。
【００７４】
通常キー７０を別の新通常キーに変える場合、次のようなキーコードの変換操作を行う。
【００７５】
先ず、上述の変換キー７０ａをキー挿入孔２０に差し込む。このとき、変換キー７０ａのキーの波形部の形状は、通常キー７０のそれと先端部を除き同じ形状のため、全てのディスクタンブラー４は、その開口溝４３と第２サイドバー６の内凸条６２の位置が一致するように動く。このため、変換キー７０ａを操作して内筒２を回すと、第２サイドバー６は内側に移動し、その外凸条６１は外筒１の凹溝１１から内側に外れ、内筒２は例えば右に９０°回転し、図２６の上段の状態となる。
【００７６】
このとき、内筒２内両側の第１サイドバー５と第２サイドバー６は、図の０時位置と６時位置に達し、外筒１内面の０時位置と６時位置の凹溝１１の両側端部に、切欠凹部１２があるため、この位置に第１サイドバー５の両側端部の外凸部５３が達する。このため、第１サイドバー５が第１ばね８の付勢力により外側に移動し、第１サイドバー５の両側の外凸部５３が外筒１内の切欠凹部１２内に嵌入し、ディスクタンブラー４のディスク歯部４１がピンタンブラー３の歯部３１から外れる。なお、このとき、第２サイドバー６の第２ばね９は第１ばね８より付勢力が小さいため、第１ばね８の付勢力が打ち勝ち、第１サイドバー５が外側に移動する際には、第２サイドバー６を所定位置に保持した状態で外側に移動し、第２６図の中段に示す状態となる。
【００７７】
このように、変換キー７０ａを挿入して右に９０°回すと、第１サイドバー５が、図２６の中段に示すように、ディスクタンブラー４及び第２サイドバー６とともに、内筒２の外側に移動して、ディスクタンブラー４のディスク歯部４１がピンタンブラー３の歯部３１から外れ、キーコード変換が可能な状態となる。
【００７８】
そして、このように内筒２を９０°回した状態で、図２６の下段のように、変換キー７０ａを引き抜く。このとき、変換キー７０ａの先端の波凸部は切除されて平坦部７６となっており、且つ全てのピンタンブラー３が上下動可能となっているため、変換キー７０ａを引き抜くことができる。
【００７９】
次に、変換キー７０ａの代わりに、異なるキーコードの波形部を有する新通常キーに対応した新変換キー９０ａを、キー挿入孔２０に差し込む。このとき、図２７に示すように、新変換キー９０ａに設けた波形部の形状に合わせて全てのピンタンブラー３が軸方向に摺動する。なおこの状態においても、第２サイドバー６の内凸条６２は全てのディスクタンブラー４の開口溝４３内に嵌合している。
【００８０】
次に、図２７の下段の如く、新変換キー９０ａを左に回して、元の角度位置に内筒２を戻す。このとき、第１サイドバー５は、第２サイドバー６及びディスクタンブラー４とともに、その外凸部５３が外筒１の内面から受ける荷重により第１ばね８の付勢力に抗して、内側に移動し、これにより、ディスクタンブラー４のディスク歯部４１がピンタンブラー３の歯部３１と噛合して、図２５の上段の位置に戻り、キーコードが変換される。これにより、新変換キー９０ａに設けた波形部（新通常キーと同じ波形部）に合わせて、全てのピンタンブラー３が摺動してその解錠位置が設定され、通常キーのキーコードから新通常キーのキーコードに変換される。
【００８１】
なお、新変換キー９０ａをキー挿入孔２０に差し込むとき、キーの差込が不十分で、新変換キー９０ａの先端がキー挿入孔２０の最先端コード位置まで到達せず、新変換キー９０ａの波形部に対応した適正位置に、ピンタンブラー３がピン孔２１内で到達していない場合が想定される。
【００８２】
このような場合にはキーコード変換を正確に行なうことができないため、この不具合を解消するために、図２８に示すように、内筒２のピン孔２１がピンタンブラー３の最下段コード位置より僅かに深く（例えば０．５ｍｍ程度）穿設されている。
【００８３】
このため、新変換キー９０ａをキー挿入孔２０内に差し込んだとき、新変換キー９０ａの先端がキー挿入孔２０の最先端コード位置まで到達せずに、差込が不十分となった場合、ピン用ばね７で付勢されるピンタンブラー３の位置が、その最下段コード位置より僅かに奥に位置することとなる。
【００８４】
このため、図２８に示す如く、ピンタンブラー３の歯部３１の山とディスクタンブラー４のディスク歯部４１の山が係合し、第２サイドバー６の外凸条６１が外筒１の凹溝１１から外れなくなり、内筒２の回転が阻止される。これにより、新変換キー９０ａの差し込み時、新変換キー９０ａがキー挿入孔２０の最先端コード位置まで到達せずに、差込が不十分となった場合、戻し回転ができない。このため、簡単なピン孔２１の加工のみによって、そのような場合のキーコードの誤設定を防止することができる。
【００８５】
このように、上記変換式シリンダ錠は、２列のピンタンブラー３とディスクタンブラー４との組み合わせにより、解錠キーコードのバリエーションの数の増大を図りつつ、外筒１の形状を短く小型化することができる。
【００８６】
なお、上記実施形態では、内筒２内に２列のピンタンブラー３を１０本配設したが、８本、１２本、或いは９本、１１本とすることもできる。また、同様に、内筒２内の両側に配設されるディスクタンブラー４の数も、ピンタンブラー３の数に対応して、８個、１２個、或いは９個、１１個とすることもできる。また、上記ではキーコードの変換時、変換キー７０ａや新変換キー９０ａを９０°回して変換操作を行なったが、８０°或いは１００°とすることもできる。
【００８７】
図２９〜図３４は、他の実施形態の変換式シリンダ錠を示している。この実施形態の変換式シリンダ錠は、簡単な構造のキー位置プレート８を外筒１Ａに取り付けることにより、通常キー（変換キー）の抜き差し角度位置を所定の２角度位置のみとし、キーの中途角度位置での抜き差しを阻止するとともに、キーの差し込みが不十分の状態で、キーを回動操作したときの不具合を解消している。なお、上記実施形態の変換式シリンダ錠と同じ構造の部分は、上記と同じ符号を図面に付して、その説明を省略する。
【００８８】
この変換式シリンダ錠は、図２９に示すように、円形に開口する外筒１Ａの前部内側に、段差凹部１３が円周状に形成され、図３１に示す内筒２Ａのフランジ前部２７が段差凹部１３に回動可能に挿入されるようになっている。さらに、段差凹部１３の一部には、薄い円弧状の嵌合凹部１４が設けられ、図３０に示す円弧状のキー位置プレート８を、図２９（ｃ）のように、この嵌合凹部１４内に嵌め込む構造としている。
【００８９】
キー位置プレート８は、通常キー（または変換キー）８０の抜き差し位置（角度位置）を所定の２角度位置に規制し、中途角度位置での抜き差しを阻止するものであり、円弧状の薄い金属板の内側２箇所に凹溝８ａが形成される。図３０に示す如く、２箇所の凹溝８ａは、キー位置プレート８の内側に９０°の角度間隔をおいて設けられる。一方、通常キー８０または変換キーの元部には、図３４に示すようにキー逃し溝８０ａが設けられる。
【００９０】
キー位置プレート８の２個の凹溝８ａは、図３４に示す如く、通常キー８０（または変換キー）の元部に設けたキー逃し溝８０ａと、キーの抜き差し時に、合致するように形成され、通常キー８０の元部に設けたキー逃し溝８０ａが凹溝８ａと合致する角度位置でのみ、キーの抜き差しが可能とされ、中途角度位置での抜き差しは阻止される。
【００９１】
キー位置プレート８は、図２９に示すように、円弧状の嵌合凹部１４に嵌入されて取り付けられるが、その状態で、キー位置プレート８の２箇所の凹溝８ａは外筒１Ａ内の空間に位置し、凹溝８ａ以外のキー位置プレート８の内側縁部が内部空間に突出するように、キー位置プレート８は取り付けられる。これにより、通常キー８０（または変換キー）をキー挿入孔２０に差し込み回転させる場合、キーは、所定位置（キー逃し溝８０ａと凹溝８ａが合う位置）まで差し込まれない状態で、回転することができず、また、キー逃し溝８０ａと凹溝８ａが一致しない位置では、キーを抜くことができないようしている。
【００９２】
また、図２９に示すように、外筒１Ａの嵌合凹部１４にキー位置プレート８を取り付けた状態で、キー位置プレート８の２箇所の凹溝８ａは、外筒１Ａの内側に９０°間隔で形成された凹溝１１の角度位置と一致するように、キー位置プレート８は、取り付けられる。上述したように、これは、この変換式シリンダ錠のキーの抜き差し位置が、内筒２Ａのキー挿入孔２０が外筒１Ａ内の凹溝１１に達したときとなるためである。
【００９３】
このように、外筒１Ａの前部内側に、薄い金属板のキー位置プレート８を取り付けるのみで、キーの抜き差し位置を設定することができるので、従来のシリンダ錠のように、外筒の前部をフランジ状に突出させ、その内側に凹溝を設ける場合に比して、外筒に設けていたフランジ状の前部をなくすことができ、これにより、シリンダ錠の軸方向の長さを短くすることができる。
【００９４】
一方、内筒２Ａの前部には、図３１に示すように、フランジ前部２７が設けられ、そのフランジ前部２７に、キー挿入孔２０が開口形成される。さらに、フランジ前部２７の直ぐ内側に円周溝２８が設けられる。上記キー位置プレート８は、図３１，３２に示すように、この円周溝２８内に摺動可能に嵌入された状態で外筒１Ａの嵌合凹部１４に嵌め込まれるようになっている。
【００９５】
つまり、キー位置プレート８は、円周溝２８内を円周方向に摺動可能に挿入され、これにより、外筒１Ａ内の所定位置に嵌入されたキー位置プレート８に対し内筒２Ａを回転操作可能とする。また、図３４に示すように、キー位置プレート８の２箇所の凹溝８ａは、内筒２Ａがキーの抜き差し角度位置θ１、θ２にしたとき、キー挿入孔２０の位置と一致し、キー挿入孔２０から露出するようになっている。
【００９６】
外筒１Ａ内に内筒２Ａ（内筒アッセンブリー）を挿入して組み付ける場合、上述のように、内筒２Ａには、予め上記ピンタンブラー３、ディスクタンブラー４、第１サイドバー５、及び第２サイドバー６を所定位置に組み付け、且つキー位置プレート８をフランジ前部２７の円周溝２８に摺動可能に嵌入した状態で、その内筒アッセンブリーを外筒１Ａ内に挿入する。このとき、内筒アッセンブリーは、図３２に示すように、所定角度位置、つまり上述の図２３に示すように、第２サイドバー６の外凸条６１が凹溝１１の角度位置にくるようにして、内筒アッセンブリーを外筒１Ａ内に挿入する。
【００９７】
これにより、図３３に示す如く、内筒２Ａのフランジ前部２７は外筒１Ａの前部の段差凹部１３内に回動可能に嵌め込まれ、フランジ前部２７の円周溝２８に挿入されたキー位置プレート８は、外筒１Ａの嵌合凹部１４内に嵌入され、定位置に取り付けられる。そして、図３３に示すように、内筒２Ａの背面側の内筒軸部２５に背面カム板１７を嵌め込み、かしめなどで固定して、変換式シリンダ錠の組み付けが完了する。
【００９８】
このように、内筒２Ａのフランジ前部２７の内側に円周溝２８を設け、この円周溝２８にキー位置プレート８を摺動可能に嵌入した状態で、内筒２Ａを外筒１Ａ内に挿入して組み付けることができるので、内筒２Ａを外筒１Ａ内に挿入するだけの簡単な作業により、キー位置プレート８を外筒１Ａの嵌合凹部１４内に嵌入させて簡単に取り付けることができ、組付け作業を容易に行うことができる。
【００９９】
上記構成の変換式シリンダ錠では、通常の施錠（解錠）操作を行う場合、図３４に示すように、角度位置θ１にあるキー挿入孔２０に通常キー８０を差し込む。或いはキーコードの変換を行う場合、変換キーを角度位置θ１のキー挿入孔２０に差し込む。このとき、キー位置プレート８の凹溝８ａは角度位置θ１にあり、通常キー８０（変換キー）は適正な差し込み位置まで差し込まれて、キー逃し溝８０ａがキーの凹溝８ａに係合し回動が可能となるので、不適正な差し込み状態で通常キー８０を回動操作しようとしても、通常キー８０の回動は阻止される。
【０１００】
特に、上記の如く、外筒１の凹溝１１の幅が広くなると、キーの抜き差し可能な範囲が広がり、キーを適正角度位置から外れた状態で抜き差し操作すると、第２サイドバー６の内凸条６２がディスクタンブラー４と干渉し、この状態で、ピンタンブラー３を動かそうとすると、歯部３１とディスク歯部４１が噛み付きやすい。しかし、上記構成により、通常キー８０（または変換キー）を不適正な差し込み状態で回動操作することによって生じる、ピンタンブラーやディスクタンブラーの噛み付き不良などを防止することができる。
【０１０１】
このように、キー挿入孔２９に差し込まれた通常キー８０または変換キーの中途位置での引き抜きを阻止し且つその抜き差し角度位置を決定する円弧状のキー位置プレート８が、嵌合凹部１４に嵌入され、キー位置プレート８には凹溝８ａが設けられ、通常キー８０または変換キーの元部にはキー逃し溝８０ａが設けられ、キー位置プレート８の凹溝８ａの角度位置が、通常キー８０または変換キーをキー挿入孔２０に抜き差しするとき、キー逃し溝８０ａが凹溝８ａと合致してキーの抜き差し角度位置が決定されるように設定されるから、通常キー８０または変換キーの中途位置での抜き差しを阻止し、不適正な差し込み状態で回動操作することによって生じる、ピンタンブラーやディスクタンブラーの噛み付き不良などを防止することができる。
【０１０２】
さらに、上記構成により、従来のシリンダ錠のように、キーの抜き差し位置を規制する凹溝を外筒の前部（フランジ状の前部）に設ける必要がなく、外筒に設けていたフランジ状の大形の前部をなくすことができる。これにより、シリンダ錠の軸方向の長さを短くして、小型化を図ることができる。
【０１０３】
さらに、従来の変換式シリンダ錠では、キーコード変換時の誤変換、誤設定を防止するために、内筒の末端部に挿入確認用の確認ピンを配設し、その確認ピンが、新変換キーの適正な差し込みにより、押されたとき、内筒の戻し回転が可能となる構造とするものがあるが、上記構成の変換式シリンダ錠では、確認ピンは不要となるため、それにより、内筒２Ａ及び外筒１Ａの外径や長さを短くしつつ、ピンタンブラーやディスクタンブラーの数を所定数に確保し、解錠キーコードのバリエーションを増大させることができる。
【符号の説明】
【０１０４】
１      外筒
１Ａ    外筒
２      内筒
２Ａ    内筒
３      ピンタンブラー
４      ディスクタンブラー
５      第１サイドバー
６      第２サイドバー
８      キー位置プレート
８ａ    凹溝
１１    凹溝
１２    切欠凹部
１３    段差凹部
１４    嵌合凹部
１７    背面カム板
１８    ピン支持板
１９    抜け止めピン
２０    キー挿入孔
２１    ピン孔
２２    ディスク挿入溝
２３    サイドバー用凹部
２４    抜け止めピン孔
２５    内筒軸部
２６    凸条
２７    フランジ前部
２８    円周溝
３１    歯部
４１    ディスク歯部
４２    凸条
４３    開口溝
５１    ディスク挿入溝
５２    係合部
５３    外凸部
５４    嵌合凹部
５４ａ  凹溝
５５    ばね孔
６１    外凸条
６２    内凸条
６３    ばね孔
７０    通常キー
７０ａ  変換キー
７１    中央溝
７２    波形部
７３    波形部
７４    波凹部
７５    波凸部
７６    平坦部
８０    通常キー
８０ａ  キー逃し溝
９０ａ  新変換キー
【図１】
0006029028.tif 000002
【図２】
0006029028.tif 000003
【図３】
0006029028.tif 000004
【図４】
0006029028.tif 000005
【図５】
0006029028.tif 000006
【図６】
0006029028.tif 000007
【図７】
0006029028.tif 000008
【図８】
0006029028.tif 000009
【図９】
0006029028.tif 000010
【図１０】
0006029028.tif 000011
【図１１】
0006029028.tif 000012
【図１２】
0006029028.tif 000013
【図１３】
0006029028.tif 000014
【図１４】
0006029028.tif 000015
【図１５】
0006029028.tif 000016
【図１６】
0006029028.tif 000017
【図１７】
0006029028.tif 000018
【図１８】
0006029028.tif 000019
【図１９】
0006029028.tif 000020
【図２０】
0006029028.tif 000021
【図２１】
0006029028.tif 000022
【図２２】
0006029028.tif 000023
【図２３】
0006029028.tif 000024
【図２４】
0006029028.tif 000025
【図２５】
0006029028.tif 000026
【図２６】
0006029028.tif 000027
【図２７】
0006029028.tif 000028
【図２８】
0006029028.tif 000029
【図２９】
0006029028.tif 000030
【図３０】
0006029028.tif 000031
【図３１】
0006029028.tif 000032
【図３２】
0006029028.tif 000033
【図３３】
0006029028.tif 000034
【図３４】
0006029028.tif 000035